(57)【要約】【課題】無線通信装置と無線通信端末との高速な無線通信を容易に開始できるようにする。【解決手段】無線通信端末と無線通信を行う無線通信装置であって、中継装置を介する第一無線通信を行う第一無線通信部と、ピアツーピアの第二無線通信を行う第二無線通信部と、前記第二無線通信より低速となる近距離無線通信を行う第３無線通信部と、前記第一無線通信と前記第二無線通信とを排他制御する排他制御部と、前記無線通信端末と前記近距離無線通信による接続を確立して、前記近距離無線通信により、前記第二無線通信の接続を確立するための設定情報を前記無線通信端末と共有して前記第二無線通信の接続を確立し、前記第二無線通信によるデータ転送を行うデータ転送制御部と、を備え、前記排他制御部は、前記第一無線通信が有効になっている状態において、前記近距離無線通信によって前記無線通信端末と接続する場合に、前記第一無線通信を無効として前記第二無線通信を有効にする、無線通信装置。【選択図】図３
2015154131.tif 000002
【特許請求の範囲】
【請求項１】
無線通信端末と無線通信を行う無線通信装置であって、
中継装置を介する第一無線通信を行う第一無線通信部と、
ピアツーピアの第二無線通信を行う第二無線通信部と、
前記第二無線通信より低速となる近距離無線通信を行う第３無線通信部と、
前記第一無線通信と前記第二無線通信とを排他制御する排他制御部と、
前記無線通信端末と前記近距離無線通信による接続を確立して、前記近距離無線通信により、前記第二無線通信の接続を確立するための設定情報を前記無線通信端末と共有して前記第二無線通信の接続を確立し、前記第二無線通信によるデータ転送を行うデータ転送制御部と、を備え、
前記排他制御部は、前記第一無線通信が有効になっている状態において、前記近距離無線通信によって前記無線通信端末と接続する場合に、前記第一無線通信を無効として前記第二無線通信を有効にする、
無線通信装置。
【請求項２】
前記第一無線通信と前記第二無線通信のいずれを有効にするかを前記排他制御部に指示するための操作部をさらに備える、
請求項１に記載の無線通信装置。
【請求項３】
前記排他制御部は、前記第一無線通信が有効になっている状態において前記近距離無線通信によって前記無線通信端末と接続されたことにより前記第二無線通信によるデータ転送が行われる場合、前記第二無線通信によるデータ転送の終了後に、前記第二無線通信を無効として前記第一無線通信を有効にする、
請求項１または２に記載の無線通信装置。
【請求項４】
前記排他制御部は、前記近距離無線通信によって前記無線通信端末と接続する場合に、前記第一無線通信によるデータ転送が行われている場合、前記第一無線通信によるデータ転送の終了後に、前記第一無線通信を無効として前記第二無線通信を有効にする、
請求項１から３のいずれか一項に記載の無線通信装置。
【請求項５】
対象データに基づいて印刷する印刷部をさらに備え、
前記排他制御部は、前記近距離無線通信によって前記無線通信端末と接続する場合に、前記印刷部が印刷している場合、前記印刷部が印刷を終了した後に、前記第一無線通信を無効として前記第二無線通信を有効にする、
請求項１から３のいずれか一項に記載の無線通信装置。
【請求項６】
無線通信端末と無線通信を行う無線通信方法であって、
中継装置を介する第一無線通信を行う段階と、
ピアツーピアの第二無線通信を行う段階と、
前記第二無線通信より低速となる近距離無線通信を行う段階と、
前記第一無線通信と前記第二無線通信とを排他制御する段階と、
前記無線通信端末と前記近距離無線通信による接続を確立して、前記近距離無線通信により、前記第二無線通信の接続を確立するための設定情報を前記無線通信端末と共有して前記第二無線通信の接続を確立し、前記第二無線通信によるデータ転送を行う段階とを含み、
前記排他制御する段階では、前記第一無線通信が有効になっている状態において、前記近距離無線通信によって前記無線通信端末と接続する場合に、前記第一無線通信を無効として前記第二無線通信を有効にする、
無線通信方法。
【発明の詳細な説明】
【技術分野】
【０００１】
本発明は、無線通信装置および無線通信方法に関する。
【背景技術】
【０００２】
従来、無線通信機能を備えた機器同士の無線通信の接続を確立するためのユーザーの設定作業を簡便にする手法が種々提案されている。例えば特許文献１には、無線通信端末と無線通信装置とのＮＦＣ（Near Field Communication）通信の接続を確立し、Ｗｉ−Ｆｉ  Ｄｉｒｅｃｔ規格での接続を確立するための設定情報を無線通信端末と無線通信装置とで共有した後に、ＮＦＣ通信よりも高速なＷｉ−Ｆｉ  Ｄｉｒｅｃｔ規格での無線通信の接続を確立する技術が記載されている。
【先行技術文献】
【特許文献】
【０００３】
【特許文献１】特開２００５−１９８１５４号公報
【発明の概要】
【発明が解決しようとする課題】
【０００４】
しかし、ハードウェアリソースの制約等により、Ｗｉ−Ｆｉ  Ｄｉｒｅｃｔ規格によるピアツーピアの無線通信と、中継装置（アクセスポイント）を用いたインフラストラクチャーモードでの無線ＬＡＮ通信とが排他制御される場合、ピアツーピアの無線通信と中継装置を用いた無線ＬＡＮ通信とを排他制御する無線通信装置に、特許文献１に記載された技術を適用しようとすると、次の問題が生ずる。すなわち、インフラストラクチャーモードでの無線ＬＡＮ通信が有効になっている場合には、ＮＦＣ通信の接続がなされても、ピアツーピアの無線通信が無効になっているため、ピアツーピアの無線通信を確立して、無線通信端末から無線通信装置にデータを転送することができない。仮に、インフラストラクチャーモードからＷｉ−Ｆｉ  Ｄｉｒｅｃｔによるピアツーピアへの無線通信の切換がユーザー操作により可能であったとしても、一般的なユーザーは通信できない原因を特定することができないし、原因を特定できたとしても、使い勝手が悪い。
本発明は、無線通信装置と無線通信端末との高速な無線通信を容易に開始できるようにすることを目的とする。
【課題を解決するための手段】
【０００５】
（１）上記目的を達成するための無線通信装置は、無線通信端末と無線通信を行う無線通信装置であって、中継装置を介する第一無線通信を行う第一無線通信部と、ピアツーピアの第二無線通信を行う第二無線通信部と、前記第二無線通信より低速となる近距離無線通信を行う第３無線通信部と、前記第一無線通信と前記第二無線通信とを排他制御する排他制御部と、前記無線通信端末と前記近距離無線通信による接続を確立して、前記近距離無線通信により、前記第二無線通信の接続を確立するための設定情報を前記無線通信端末と共有して前記第二無線通信の接続を確立し、前記第二無線通信によるデータ転送を行うデータ転送制御部と、を備え、前記排他制御部は、前記第一無線通信が有効になっている状態において、前記近距離無線通信によって前記無線通信端末と接続する場合に、前記第一無線通信を無効として前記第二無線通信を有効にする。
【０００６】
この発明によると、第一無線通信が有効になっている状態において、近距離無線通信によって無線通信端末と接続する場合に、排他制御部が第一無線通信を無効として第二無線通信を有効にするため、第一無線通信と第二無線通信のいずれが有効になっているかにかかわらず、近距離無線通信を用いて高速なピアツーピアの第二無線通信による無線データ通信を開始することができる。したがって、この発明によると、無線通信装置と無線通信端末との高速な無線通信を容易に開始することができる。
【０００７】
（２）上記目的を達成するための無線通信装置において、前記第一無線通信と前記第二無線通信のいずれを有効にするかを前記排他制御部に指示するための操作部をさらに備えてもよい。
この構成を採用すると、ユーザーが第一無線通信と第二無線通信とを切り換えることができる。
【０００８】
（３）上記目的を達成するための無線通信装置において、前記排他制御部は、前記第一無線通信が有効になっている状態において前記近距離無線通信によって前記無線通信端末と接続されたことにより前記第二無線通信によるデータ転送が行われる場合、前記第二無線通信によるデータ転送の終了後に、前記第二無線通信を無効として前記第一無線通信を有効にしてもよい。
この構成を採用すると、ユーザーによって意図的に有効にされていた第一無線通信が、第二無線通信の終了後に再び有効になるため、無線通信環境がユーザーの意図に反して変更されたまま維持されることがない。
【０００９】
（４）上記目的を達成するための無線通信装置において、前記排他制御部は、前記近距離無線通信によって前記無線通信端末と接続する場合に、前記第一無線通信によるデータ転送が行われている場合、前記第一無線通信によるデータ転送の終了後に、前記第一無線通信を無効として前記第二無線通信を有効にしてもよい。
この構成を採用すると、先行している無線データ転送を妨げることなく、無線通信装置と無線通信端末との高速な無線データ転送を容易に開始することができる。
【００１０】
（５）上記目的を達成するための無線通信装置において、対象データに基づいて印刷する印刷部をさらに備え、前記排他制御部は、前記近距離無線通信によって前記無線通信端末と接続する場合に、前記印刷部が印刷している場合、前記印刷部が印刷を終了した後に、前記第一無線通信を無効として前記第二無線通信を有効にしてもよい。
この構成を採用すると、先行している印刷を妨げることなく、無線通信装置と無線通信端末との高速な無線データ転送を容易に開始することができる。
【００１１】
なお、以上の発明は、無線通信方法としても無線通信プログラムとしても無線通信プログラムを記録した記録媒体としても構成可能である。また、無線通信装置が備える各部の機能は、ハードウェアとソフトウェアの協働によって実現しても良いし、ハードウェアによって実現しても良い。
【図面の簡単な説明】
【００１２】
【図１】本発明の実施形態にかかる無線通信システムを示す模式図。
【図２】本発明の実施形態にかかる無線通信システムを示すブロック図。
【図３】本発明の実施形態にかかる無線通信方法のシーケンス図。
【発明を実施するための形態】
【００１３】
以下、本発明の実施の形態を添付図面を参照しながら順に説明する。尚、各図において対応する構成要素には同一の符号が付され、重複する説明は省略される。
【００１４】
１．無線通信装置の構成
図１は、本発明による無線通信装置の一実施例としての印刷装置２と、無線通信端末１とによって構成された無線通信システムを示している。無線通信端末１としては例えばスマートフォンやタブレット型ＰＣ等が想定される。本実施例において印刷装置２は、ＩＥＥＥ８０２．１１、Ｗｉ−Ｆｉ  ＤｉｒｅｃｔおよびＩＳＯ／ＩＥＣ１８０９２の規格に準じた無線通信機能を備えている。また本実施例において、無線通信端末１は、Ｗｉ−Ｆｉ  ＤｉｒｅｃｔおよびＩＳＯ／ＩＥＣ１８０９２の規格に準じた無線通信機能を備えている。以下では、ＩＥＥＥ８０２．１１の規格に準じた通信を無線ＬＡＮ通信、Ｗｉ−Ｆｉ  Ｄｉｒｅｃｔの規格に準じた通信をＷＦＤ通信、ＩＳＯ／ＩＥＣ１８０９２の規格に準じた通信をＮＦＣ通信というものとする。
【００１５】
図２に示すように、印刷装置２は、第一無線通信部２１、排他制御部２２、第二無線通信部２３、第三無線通信部としてのＮＦＣ通信部２４、操作部２７、印刷部２６、制御部２５を備えている。
【００１６】
第一無線通信部２１は、図１に示す中継装置としてのアクセスポイント３を介してＩＥＥＥ８０２．１１に準じた無線ＬＡＮ通信を行う。第二無線通信部２３は、ＷＦＤ通信を行う。なお、本実施例の印刷装置２では、第一無線通信部２１による無線ＬＡＮ通信と、第二無線通信部２３によるＷｉ−Ｆｉ  Ｄｉｒｅｃｔの無線通信とは、無線ＬＡＮ通信を司る共通の電子回路によって実現されており、この電子回路がもつ制約のため、第一無線通信部２１による無線ＬＡＮ通信と第二無線通信部２３によるＷＦＤ通信は同時に行うことができない構成となっている。そこで、排他制御部２２は、第一無線通信部２１、第二無線通信部２３のいずれかの機能を有効にし、他方の機能を無効にすることにより、第一無線通信と第二無線通信とを排他制御するようにしている。ＮＦＣ通信部２４は、ＩＳＯ／ＩＥＣ１８０９２に準じたＮＦＣ通信をするための電子回路を備える。印刷部２６は、電子写真方式、インクジェット方式等の周知の印刷方式において写真紙・普通紙・ＯＨＰシートなどの印刷媒体に印刷を実行するためのアクチュエーターやセンサーや駆動回路や機械部品を備えている。制御部２５は、図示しないＣＰＵ、メインメモリ、不揮発性メモリ、入出力回路等を備える。制御部２５は、不揮発性メモリに格納されている制御プログラムをメインメモリにロードしてＣＰＵで実行することによって、第一無線通信部２１、排他制御部２２、第二無線通信部２３、ＮＦＣ通信部２４、操作部２７および印刷部２６を制御する。この制御プログラムには、ＯＳ（Operating System）の他、制御部２５をデータ転送制御部２５１として機能させるモジュールが含まれている。操作部２７は、制御部２５に各種の指示を入力するための図示しないタッチパネルディスプレイや操作キーを備える。操作部２７が入力可能な指示には、無線ＬＡＮ通信とＷＦＤ通信のいずれを有効にするかの指示が含まれる。
【００１７】
図１および図２に示すように、無線通信端末１は、タッチパネルディスプレイ１４、無線通信部１１、ＮＦＣ通信部１２および制御部１３を備えている。無線通信部１１は、ＩＥＥＥ８０２．１１に準じた無線ＬＡＮ通信をするための電子回路を備える。ＮＦＣ通信部１２は、ＩＳＯ／ＩＥＣ１８０９２に準じたＮＦＣ通信をするための電子回路を備える。制御部１３は、図示しないＣＰＵ、メインメモリ、不揮発性メモリ、入出力回路等を備える。制御部１３は、不揮発性メモリに格納されている制御プログラムをメインメモリにロードしてＣＰＵで実行することによって、タッチパネルディスプレイ１４、無線通信部１１およびＮＦＣ通信部１２を制御する。この制御プログラムには、ＯＳ（Operating System）の他、制御部１３を印刷指示部１３１として機能させるアプリケーションプログラムが含まれている。
【００１８】
２．無線通信方法
次に、無線通信端末１のユーザーが、タッチパネルディスプレイ１４に表示された画像１４ａをタップし、無線通信端末１を印刷装置２のＮＦＣ通信部１２に触れさせるだけで、印刷装置２に画像１４ａを印刷させることを可能にする無線通信方法について説明する。
【００１９】
はじめに無線通信端末１は、ユーザーの指示に応じて印刷対象の画像データを選択する（Ｓ１）。具体的には例えば、ユーザーは、画像データを保存したり表示するためのアプリケーションプログラムを起動する。このプログラムは、制御部１３を印刷指示部１３として機能させ、画像データに基づく画像１４ａをタッチパネルディスプレイ１４に表示する。ユーザーがタッチパネルディスプレイ１４に表示された画像１４ａをタップすると、このプログラムは画像１４ａの画像データを印刷対象の画像データとして選択する。
【００２０】
次に無線通信端末１と印刷装置２とは、ＮＦＣ通信の接続を規格に準じて確立する（Ｓ２）。ＮＦＣ通信の接続を確立する処理は無線通信端末１のＮＦＣ通信部１２を印刷装置２のＮＦＣ通信部２４におよそ１０ｃｍ以下の接続可能距離に近づけたときに開始される。ＮＦＣ通信を確立する処理では、暗号化されたアクセスキーが生成され、生成されたアクセスキーを用いて相互認証が行われる。
【００２１】
次に印刷装置２は、ＷＦＤ通信のための設定情報をＮＦＣ通信によって無線通信端末１に送信する（Ｓ３）。ＷＦＤ通信のための設定情報には、ネットワーク識別子としてのＳＳＩＤ（Service Set Identifier）が含まれる。
【００２２】
次に印刷装置２は、無線ＬＡＮ通信が有効か否かを判定する（Ｓ４）。具体的には、ＮＦＣ通信の接続が確立されるとデータ転送制御部２５１が起動し、第一無線通信部２１の機能が有効になっているか否かを排他制御部２２のステータスに基づいて判定する。この判定結果は、データ転送制御部２５１によってメインメモリに保存される。
【００２３】
無線ＬＡＮ通信が有効である場合、印刷装置２は、無線ＬＡＮ通信によってデータを転送中か否かを判定する（Ｓ５）。具体的には、データ転送制御部２５１が第一無線通信部２１のステータスに基づいて第一無線通信部２１がデータを転送中であるか否かを判定する。そして、無線ＬＡＮ通信によってデータを転送中である場合、データ転送制御部２５１は、無線ＬＡＮ通信によるデータ転送が終了するまで、判定を繰り返す。
【００２４】
無線ＬＡＮ通信が有効であって、かつ、無線ＬＡＮ通信によってデータを転送中でない場合、印刷装置２は、無線ＬＡＮ通信を無効に、ＷＦＤ通信を有効にする（Ｓ６）。具体的には、データ転送制御部２５１は、第一無線通信部２１の機能を無効にし、第二無線通信部２３の機能を有効にするように排他制御部２２に指示する。
【００２５】
次に無線通信端末１と印刷装置２とは、ＷＦＤ通信のための設定情報を用いてＷＦＤ通信の接続を確立する（Ｓ７）。具体的には、無線通信端末１は、印刷装置２から送信されたＳＳＩＤをネットワーク識別子として無線通信部１１に設定し、印刷装置２とのＷＦＤ通信を規格に準じて確立する。
【００２６】
次に無線通信端末１は、印刷対象の画像データをＷＦＤ通信により印刷装置２に送信する（Ｓ８）。具体的には、印刷指示部１３１が無線通信部１１に画像データを出力すると、無線通信部１１によって画像データがＷＦＤ通信により印刷装置２の第二無線通信部２３に転送される。
【００２７】
印刷装置２は、無線通信端末１から画像データを受信すると、受信した画像データに基づいて印刷を実行する（Ｓ９）。具体的には、第二無線通信部２３が受信した画像データに対して制御部２５が解像度変換、色変換、インターレース処理等を施して印刷部２６に出力すると、印刷部２６によって印刷が行われる。
【００２８】
印刷装置２は、印刷が終了すると、印刷終了を無線通信端末１にＷＦＤ通信により通知する（Ｓ１０）。具体的には、データ転送制御部２５１は、印刷部２６のステータスに基づいて印刷終了を検出し、印刷終了を検出すると、印刷終了通知を第二無線通信部２３に出力する。その結果、第二無線通信部２３によって印刷終了通知が無線通信端末１の無線通信部１１に送信される。
【００２９】
無線通信端末１は、印刷終了を通知されると、印刷終了を表示してユーザーに通知する（Ｓ１１）。具体的には、印刷指示部１３１は、無線通信部１１から印刷終了通知を取得し、例えば「印刷が正常に行われました。」などのメッセージをタッチパネルディスプレイ１４に表示にする。
【００３０】
次に無線通信端末１と印刷装置２とは、ＷＦＤ通信を切断する（Ｓ１２）。具体的には、印刷指示部１３１が切断指示を無線通信部１１に出力すると、無線通信部１１と第二無線通信部２３とのＷＦＤ通信が規格に準じて切断される。
【００３１】
ＷＦＤ通信を切断すると、印刷装置２は、ＷＦＤ通信を確立する前に有効であった通信方式を判定する（Ｓ１３）。具体的には、データ転送制御部２５１は、メインメモリに保存されているステップＳ４の判定結果に基づいて、ＷＦＤ通信を確立する前に有効であった通信方式を判定する。ＷＦＤ通信を確立する前に有効であった通信方式がＷＦＤ通信である場合、ＮＦＣ通信によって起動された印刷装置２による一連の処理は終了する。
【００３２】
ＷＦＤ通信を確立する前の通信方式が無線ＬＡＮ通信であった場合、印刷装置２は、無線ＬＡＮ通信を有効に、ＷＦＤ通信を無効にする（Ｓ１４）。具体的には、データ転送制御部２５１は、第一無線通信部２１の機能を有効にし、第二無線通信部２３の機能を無効にするように排他制御部２２に指示する。そしてＮＦＣ通信によって起動された印刷装置２による一連の処理は終了する。
【００３３】
３．実施例の効果
印刷装置２では、ＮＦＣ通信によって無線通信端末１と接続されると、ＷＦＤ通信のための設定情報がＮＦＣ通信によって送信されて自動的に無線通信端末１と共有され、自動的にＮＦＣ通信がＷＦＤ通信に切り替わる。すなわち、上述したように印刷装置２では無線通信回路の制約のため、無線ＬＡＮ通信とＷＦＤ通信の両方を有効にすることができないが、本実施例では、ユーザーの手動設定によって無線ＬＡＮ通信が有効（すなわちＷＦＤ通信が無効）とされていた場合に、ユーザーが無線通信端末１のＮＦＣ通信部１２を印刷装置２のＮＦＣ通信部２４に近づけてＮＦＣの接続が確立した後、自動的に無線ＬＡＮ通信を無効とし、ＷＦＤ通信を有効とする切り替え制御を行うようにしている。これにより、ユーザーの手動設定によってＷＦＤ通信が無効とされていたにも関わらずに、ＮＦＣ接続の後にＷＦＤ通信を確立できるようになり、ユーザーは、ＮＦＣ通信のために無線通信端末１を印刷装置２に近づけるだけで、無線通信端末１と印刷装置２とのＷＦＤ通信を確立することができる。そして、ＷＦＤ通信は、ＮＦＣ通信よりもデータ転送速度が速いため、無線通信端末１から印刷装置２に画像データを短時間のうちに送信することができる。したがって、ユーザーは、印刷作業を容易にかつ短時間に終えることができる。また、ＷＦＤ通信を利用できない無線通信設定となっているために、ＷＦＤ通信で印刷データを送信できなくなってＮＦＣ印刷がエラーとなってしまうことは、ＮＦＣ通信を利用した印刷で内部的にＷＦＤ通信が用いられていることを知らない一般のユーザーにとっては想定し難いことであり、このようなエラーが生じた場合には、ユーザーを当惑させてしまうことが考えられる。本実施例によれば、このようなエラーが生じないよう自動で無線通信の切り替えが行われるので、ユーザーにとってのＮＦＣ印刷の使い勝手を大幅に向上させることができる。
【００３４】
また、印刷装置２では、ＮＦＣ通信によって無線通信端末１と接続されたときに、無線ＬＡＮ通信によってデータが転送されている場合には、無線ＬＡＮ通信によるデータ転送が終了するまで待機してから、無線ＬＡＮ通信を無効にしてＷＦＤ通信を有効にする。このためユーザーは、印刷装置２において先行している無線データ転送や印刷を妨げることなく、無線通信端末１と印刷装置２との高速な無線データ転送を容易に開始することができる。
【００３５】
また、印刷装置２では、ＮＦＣ通信を確立した後に無線ＬＡＮ通信の機能を無効にした場合には、ＷＦＤ通信の終了後に無線ＬＡＮ通信の機能を有効に戻すため、ユーザーが操作部２７を用いて意図的に設定した無線通信環境が、ユーザーの意図に反して変更されたまま維持されることがない。
【００３６】
４．他の実施形態
尚、本発明の技術的範囲は、上述した実施例に限定されるものではなく、本発明の要旨を逸脱しない範囲内において種々変更を加え得ることは勿論である。以下、上述した実施例を変形した実施形態を例示する。
【００３７】
近距離無線通信と第二無線通信の方式は、少なくとも第二無線通信の方が近距離無線通信よりもデータ転送速度が高速であれば良い。近距離無線通信の方式は、自動的に通信が確立される方式が望ましいため、ＩＳＯ／ＩＥＣ１８０９２規格を例示したが、ＩＳＯ／ＩＥＣ１８０９２、ＩＳＯ／ＩＥＣ１５６９３、ＩＳＯ／ＩＥＣ２１４８１といった他のＮＦＣの規格に準じて近距離無線通信部を構成しても良い。またＩｒＤＡ（Infrared Data Association）等のＮＦＣ（近接場型通信）ではない近距離無線通信の規格に準じて近距離無線通信部を構成しても良い。また第二無線通信部は、少なくとも近距離無線通信よりも高速に無線通信端末とピアツーピアで通信できるように構成すればよく、Ｂｌｕｅｔｏｏｔｈ、ｉＢｅａｃｏｎ等の規格に準拠して構成してもよい。
【００３８】
第二無線通信の接続を確立するための設定情報は、無線通信端末から無線通信装置に送信して共有しても良いし、無線通信装置から無線通信端末に送信して共有しても良い。
【００３９】
無線通信装置と無線通信端末とがＮＦＣ通信の接続を確立したときに無線通信装置が印刷を実行中である場合には、無線通信装置が無線ＬＡＮ通信によるデータ転送中であるか否かに関わらず、印刷が終了するまで待機してから無線ＬＡＮ通信を無効、ＷＦＤ通信を有効に変更するようにしても良い。また、印刷が終了し、その印刷の依頼元に印刷装置２が印刷完了通知を送信した後に無線ＬＡＮ通信を無効、ＷＦＤ通信を有効に変更するようにしても良い。
【００４０】
無線通信装置は、スキャナー（画像読取装置）であってもよいし、ファクシミリであってもよいし、プロジェクターであってもよいし、スキャン機能やファクシミリ機能等を備えたマルチファンクションプリンターであってもよい。例えば、無線通信装置としてのスキャナーが原稿から読み取った画像データを第二無線通信によって無線通信端末に送信してもよい。
【符号の説明】
【００４１】
１…無線通信端末、２…印刷装置、３…アクセスポイント、１１…無線通信部、１２…ＮＦＣ通信部、１３…制御部、１４…タッチパネルディスプレイ、１４ａ…画像、２１…第一無線通信部、２２…排他制御部、２３…第二無線通信部、２４…ＮＦＣ通信部、２５…制御部、２６…印刷部、２７…操作部、１３１…印刷指示部、２５１…データ転送制御部
【図１】
2015154131.tif 000003
【図２】
2015154131.tif 000004
【図３】
2015154131.tif 000005